(57)【要約】  特にＭＲ画像化システムのような反射的な環境において、少なくとも１つの第１の送信機及び／又は受信機ユニット５０１，６０１，７０１；Ｔ／Ｒ１と、少なくとも１つの第２の送信機及び／又は受信機ユニット８０１；Ｔ／Ｒ２との間で信号又はデータの一方向又は双方向ワイヤレス通信をする方法及び構成が開示される。特に、非常に反射的な環境における通信リンクの信頼性及び可用性は、特に拡散スペクトル技術及び超広帯域搬送波周波数を使用することにより改善される。
2009520556.tif 000002
【特許請求の範囲】
【請求項１】
少なくとも１つの第１送信機及び／又は受信機ユニットと少なくとも１つの第２送信機及び／又は受信機ユニットとの間で、特にＭＲ画像化システムのような反射的な環境において、信号又はデータを一方向又は双方向でワイヤレス通信する方法であって、前記少なくとも１つの第１送信機及び／又は受信機ユニット、並びに前記少なくとも１つの第２送信機及び／又は受信機ユニットが、少なくとも２つの異なる搬送波周波数により互いに同時に又は交互に通信を実行するように設けられ、該少なくとも２つの異なる搬送波周波数は、前記周波数の少なくとも１つが、両者の間の少なくとも実質的に妨害のない通信を可能にする前記少なくとも１つの第１送信機及び／又は受信機ユニット、並びに前記少なくとも１つの第２送信機及び／又は受信機ユニットの選択された位置、又は前記環境におけるこれらのアンテナの選択された位置に依存して選択及び／若しくは制御される方法。
【請求項２】
前記搬送波周波数が、前記搬送波周波数の検出された受信電界強度及び／又は検出された受信電界変化に依存して選択及び／又は制御される、請求項１に記載の方法。
【請求項３】
４つの搬送波周波数が、直交周波数分割多重化で同時に使用される、請求項１に記載の方法。
【請求項４】
少なくとも１つの拡散スペクトル信号又は超広帯域信号が、選択された及び／又は制御された前記搬送波周波数の代わりに使用される、請求項１に記載の方法。
【請求項５】
プログラム可能なマイクロコンピュータ上で動作するとき、請求項１乃至４の何れか一項による方法を実行するため、及び／又は請求項１乃至４の何れか一項による方法における使用のためのコンピュータプログラムコードを有する、コンピュータプログラム。
【請求項６】
少なくとも１つの第１送信機及び／又は受信機ユニットと、少なくとも１つの第２送信機及び／又は受信機ユニットとの間で、特にＭＲ画像化システムのような反射的な環境において、信号又はデータの一方向又は双方向ワイヤレス通信をする構成であって、
前記少なくとも１つの第１送信機及び／又は受信機ユニットと、前記少なくとも１つの第２送信機及び／又は受信機ユニットとが、請求項１乃至５の何れか一項による方法を実行するように設けられる、構成。
【請求項７】
前記少なくとも１つの第１送信機及び／又は受信機ユニットが、少なくとも１つのＭＲ信号検出装置に関連付けられ、前記少なくとも１つの第２送信機及び／又は受信機ユニットは、少なくとも１つのＭＲ信号処理装置に関連付けられる、請求項６に記載の構成。
【請求項８】
前記少なくとも１つの第１送信機及び／又は受信機ユニットと、前記少なくとも１つの第２送信機及び／又は受信機とが、各々少なくとも１つのアンテナを備え、該アンテナは、互いに見通し線内にあるように前記ＭＲ画像化システム内に位置される、請求項６に記載の構成。
【請求項９】
請求項６による信号又はデータの一方向又は双方向ワイヤレス通信をする構成を有する、磁気共鳴画像化システム。
【請求項１０】
前記少なくとも１つの第１送信機及び／又は受信機ユニットが前記ＭＲ画像化システムの検査空間内に位置され、前記少なくとも１つの第２送信機及び／又は受信機ユニットは、前記ＭＲ画像化システムの前記検査空間の外に位置される、請求項９に記載の磁気共鳴画像化システム。
【発明の詳細な説明】
【技術分野】
【０００１】
本発明は、特にＭＲ画像化システムのような電磁反射的な環境において、少なくとも１つの第１送信機及び／又は受信機ユニットと、少なくとも１つの第２送信機及び／又は受信機ユニットとの間で、信号又はデータの一方向又は双方向ワイヤレス通信をする方法及び構成に関する。本発明は、更にこのような構成を有するＭＲ画像化システムにも関する。
【背景技術】
【０００２】
磁気共鳴画像化は、人体の組織を検査する良く知られた非侵襲性医療診断法である。組織の核のスピンが強磁場でそろえられ、それから少なくとも１つのＲＦパルス送信装置（ＲＦアンテナ）によりラーモア周波数でＲＦパルスを送信することにより、前記スピンが励起される。
【０００３】
磁気共鳴又は核のスピンの緩和は、例えば比較的大きなボディコイル、及び／若しくはヘッドコイルのような身体のある部分のための１以上の表面コイル、及び／若しくはカテーテルの先端にある小型検出器コイルの形態のような１又は複数の同じ又は他のＲＦアンテナ又はセンサによって検出される。受信又は検出ＭＲ信号に基づいて、高品質且つ高解像度の人体の組織の画像が、画像再構成装置により生成され得るか、又は信号が１又はそれより多くの処理装置により、他の態様で処理される。
【０００４】
ＭＲ信号を受信又は検出するため、アンテナ、センサ、又はコイルが、検査されるべき体に近接して位置されなければならない。更に、該アンテナ、センサ、又はコイルは、検出された信号を処理し、画像を生成する処理装置に接続されなければならない。
【０００５】
従来、アンテナ、センサ、及びコイルは、ケーブルにより処理装置と接続される。しかしながら、特に非常に多くのこのようなアンテナ、センサ又はコイル（以下、共通して「コイル」と称す）の場合、各々のコイルからＭＲシステムの検査空間を通って処理装置に走る、対応する非常に多くのケーブルを有することは、特に効率的なワークフローがケーブルにより悪化されるので厄介であり不利である。更に、このようなケーブルは、送信されたＲＦパルスから熱くなり得るので、患者に危害を与えるリスクを示す。
【０００６】
結果として、様々な試みが、コイルから再構成装置（又は１若しくはそれより多くの他の関連付けられたデータ処理装置）に対して、受信又は検出されたＭＲデータのワイヤレス通信を提供するためになされている。
【０００７】
米国特許出願公開ＵＳ２００５／０１０７６８１Ａ１は、磁気共鳴画像化装置一式のような電磁的にノイズのある環境において、センサモジュールから得られる生理的信号又は他のデータを遠隔装置にワイヤレスで伝えるシステム、方法、及び関連付けられる装置を開示する。
【０００８】
このようなセンサモジュールは、実質的に、センサにより受信されるデータを光学フォーマットから電気フォーマットに変換する第１トランスデューサと、変換されたデータを遠隔装置に送信する第１ＲＦトランシーバとを有する。センサモジュールとは遠隔で、送信された信号を受信する第２ＲＦトランシーバと、電気フォーマットから光学フォーマットに受信された信号を変換し、該信号を遠隔装置に伝える第２トランスデューサとが設けられ、センサモジュールと装置との間の通信が、ＭＲシステムの動作に不利に影響すること、又は不利にＭＲシステムの動作により影響されることなく達成される。
【０００９】
このようなシステムの一実施例は、いくつかの周波数での通信を可能にする周波数多重化で動作するアンテナ、又はブロードバンドアンテナを使用する。更に、特に金属の遮蔽及び該遮蔽内に通常位置される装置により、非常に反射的な環境になりがちなＭＲスキャナ室において、マルチパス信号伝送の影響に対処する態様として、アンテナダイバーシチに役立つマルチプルアンテナが開示される。スキャナ室よりもマルチパスの影響が小さくなりがちな制御室において増加された信号ゲインのため、いずれかの指向性アンテナをこのようなシステムに位置させることが好ましい。
【００１０】
しかしながら、ＭＲシステムのスキャナ室又は検査空間における、マルチプルＲＦアンテナは、このような部屋又は空間が、通常、非常に制限されているという事実により問題を生じさせる。
【００１１】
更に、例えばコイルが、ＲＦパルスを送信及び／又はＭＲ信号を受信するために、独立して制御されるとともに、供給されなければならない再構成又は信号処理装置への自身の送信又は通信チャネルを各々必要とするとともに複数の別個のコイル素子を有する場合、特に将来のＭＲシステムは、センサ信号の拡張的並列画像化を必要とすることが考慮されなければならない。
【００１２】
このようなマルチバンド信号伝送に対して必要とされるバンド幅は、チャネルの数とともに著しく増加する。例えば受信されたＭＲ信号のアナログバンド幅が約１．５ＭＨｚである場合、１２８チャネルに対して１９２ＭＨｚのバンド幅が必要とされる。このようなブロードバンド信号の送信に対して、通常ＧＨｚ範囲内又はＧＨｚ付近の高い周波数搬送波が必要である。
【００１３】
しかしながら、搬送波周波数が高ければ高いほど、より多くのマルチパスの影響が生じるであろう。ＭＲシステムのスキャナの周りのＲＦケージ及び検査空間は、非常に反射的であるので、増加された反射、回折、及び散乱が生じるであろう。更に、周囲におけるいくつかの点での干渉により、反射は、ある位置において送信されたＲＦ信号を消滅させ、一方他の位置において、前記反射は互いを増幅するであろう。
【００１４】
この問題は、干渉パターンが位置の間で変化するので、ＭＲ信号を検出するコイル又はセンサ、及びしたがって検出されたＭＲ信号のワイヤレス通信のための１又は複数のＲＦアンテナもＭＲ画像化システムの検査空間を通じて移動され、その結果、ＲＦアンテナと受信機との間の通信リンクが、全ての位置において十分なレベルのままであることを保証することができない場合に特に更に増大する。
【００１５】
最後に、干渉パターンも、検査されるとともに検査空間を通って移動される患者によって変更され、干渉パターンは患者の間で変化するであろう。
【発明の開示】
【発明が解決しようとする課題】
【００１６】
本発明の目的は、特にＭＲ画像化システムのような反射的な環境において、少なくとも１つの第１送信機及び／又は受信機ユニットと、少なくとも１つの第２送信機及び／又は受信機ユニットとの間で信号又はデータの一方向又は双方向ワイヤレス通信をする方法及び構成を提供することであり、該方法及び構成により、少なくとも実質的に妨害のない通信が前記ユニット間で行われ得る。
【課題を解決するための手段】
【００１７】
特に、本発明の目的は、このような方法及び構成を提供することであり、特に高い搬送波周波数を使用する場合、前記方法及び構成により、マルチパス、周波数フェージング、又は干渉の影響がかなり低減又は回避され得る。
【００１８】
前記目的は、上述の方法による請求項１により解決され、少なくとも１つの第１送信機及び／又は受信機ユニット並びに少なくとも１つの第２送信機及び／又は受信機ユニットが、少なくとも２つの異なる搬送波周波数により互いに同時又は交互の通信を実行するために設けられ、前記周波数は、環境内において、前記第１及び／若しくは第２送信機及び／若しくは受信機ユニット又はこのアンテナの少なくとも１つの選択された位置に依存して選択及び／又は制御され、その結果、周波数の少なくとも１つが両方の間で少なくとも実質的に外乱を受けない通信を可能にする。
【００１９】
更に、請求項６に記載の目的は、請求項１による方法を実施する装置により解決される。
【００２０】
下位の請求項は、本発明の有利な実施例を開示する。
【００２１】
請求項２乃至４に記載の実施例は、信頼できる、外乱を受けない通信リンクに特に適した周波数のバリエーションを開示する。
【００２２】
請求項８及び９は、第１送信機及び／又は受信機ユニットと、例えばＲＦ励起パルスを送信及び／又はＭＲ緩和信号を受信するアンテナ、センサ、コイル又はコイルセグメントである少なくとも１つのＭＲ信号検出装置との間、並びに例えば第２送信機及び／又は受信機ユニットと、画像再構成ユニット又はデータ処理ユニットである少なくとも１つのＭＲ信号処理装置との間の好ましい関連付けを開示する。
【００２３】
この解決策の利点は、本発明による方法及び構成が、例えば別個のＲＦアンテナ又はＭＲコイル素子の独立した制御のため、例えばＭＲ信号処理装置からＭＲ信号検出装置に制御信号を送信するためにも使用され得るという事実である。
【００２４】
本発明の更なる詳細、特徴、及び利点は、図面を参照して、本発明の例示的且つ好ましい実施例の以下の説明において開示される。
【発明を実施するための最良の形態】
【００２５】
図１は、ＭＲシステムの円筒状又は管状検査空間（又はスキャナ室）１を通る縦方向部分を概略的に示す。患者又は他の検査物体Ｐを担持する患者テーブル２は、円筒空間1を通る軸方向に導かれる。
【００２６】
システムは、検査されるべき組織における核スピンを揃える静磁場（Ｂ０場）を生成するメイン磁石３１，３２を有する。
【００２７】
システムは、既知の態様で、受信されたＭＲ信号の空間又はスライス選択及び空間エンコードを可能にするため、３つの直交方向（ｘ、ｙ、及びｚ方向）の傾斜を有する磁場を生成する傾斜磁石コイル４１，４２をさらに有する。
【００２８】
複数の送信コイルは、核を励起させるＲＦ励起パルス（Ｂ１場）を送信するために設けられ、複数の検出コイルは、核から放出されたＭＲ緩和信号を受信及び検出するために設けられる。
【００２９】
より詳細には、患者の身体全体を画像化する第１及び第２静的ボディコイルが、例えば回路ボードのような平面の担体の上の導体構造の形態で設けられる。このような導体構造は、複数のコイル素子５１，５２，…５ｎ；６１,６２，…６ｎに分割され得、該複数のコイル素子は、ＲＦ信号を送信する及び／又はＭＲ信号を受信するため、互いから独立して制御され得る。
【００３０】
更に、患者Ｐの限定的な領域からＭＲ信号を受信するための、カテーテルの先の検出コイル及び／又はヘッドコイルのような身体のある部分に対する１又は複数の第３モバイル表面コイル７が設けられ、参照符号７で共通して示される。
【００３１】
これらの第１乃至第３コイル５，６，７及び／又はコイル素子５１，５２，…５ｎ；６１,６２，…６ｎを制御し、検出されたＭＲ信号を処理及び評価、並びに／又は画像を生成する装置が、参照符号８により共通して図示される。このような装置のより詳細な説明は、例えば上述の先行技術文献米国特許出願公開ＵＳ２００５／０１０７６８１Ａ１に開示され、該文献は、参照によりこの開示の一部とされる。
【００３２】
検出されたＭＲ信号を関連付けられたデータ処理、評価及び／若しくは画像再構成する装置、又は他の分析装置（ＭＲ信号処理装置）８に送信するため、並びにＲＦ信号を送信し、ＭＲ信号を受信するための例えばボディコイル５，６のコイルセグメント５１，５２，…５ｎ；６１，６２，…６ｎを制御するため、前記アンテナ、コイル、コイル素子及び／又は他のセンサ５，６，７（「ＭＲ信号検出装置」）並びに前記ＭＲ信号処理装置８の間のワイヤレス通信のための構成が、設けられる。
【００３３】
通常、このような構成は、図1によるＭＲ信号検出装置５，６，７において、検出されたＭＲ信号を送信する第１ユニット５０１，６０１，７０１をそれぞれ有し、各ユニットが関連付けられた第１ＲＦアンテナ５０２，６０２，７０２をそれぞれ含む。関連付けられたＭＲ信号処理装置８は、このような信号を受信するための関連付けられた第２ＲＦアンテナ８０２を含む第２ユニット８０１を備えるか、又は有する。
【００３４】
ＭＲ信号処理装置８からＭＲ信号検出装置５，６，７の少なくとも１つに通信を行うため、第２ユニット８０１が、信号を送信するための送信機ユニットとして更に設けられ得る。関連して、第１送信機ユニット５０１，６０１，７０１の少なくとも１つが、これらの信号を受信する受信機ユニットとして更に設けられ得、これらの信号は、例えば、ボディコイル５，６の場合に、あるコイル素子５１，５２，...；６１，６２，...を選択するための制御信号、及び／又は例えば検査を実行するために所望される構成を設定するための制御信号、及び／又は検出された誤りの状況を送信するための制御信号等である。
【００３５】
第１及び第２アンテナ５０２，６０２，７０２，８０２は、それぞれ関連付けられた第１及び第２送信機及び／若しくは受信機ユニット５０１，６０１，７０１，８０１の一部として設けられるか、又は関連付けられるアンテナ５０２，６０２，７０２，８０２を（例えば小さなコイルの形態で）適切に独立して位置させるため、ケーブルを介してこのようなユニット５０１，６０１，７０１，８０１に接続される。
【００３６】
例示的なアンテナの位置に関連して、図１について言えば、図１による１つの第１送信機及び／又は受信機ユニット５０１及び／又はアンテナ５０２が、上部ボディコイル５に配置される。他の第１送信機及び／又は受信機ユニット６０１及び／又はアンテナ６０２は、下部ボディコイル６に配置され、他の第１送信機及び／又は受信機ユニット７０１及び／又はアンテナ７０２は、ＲＦ表面コイル７に位置される。更に、第２送信機及び／又は受信機ユニット８０１及び／又は第２アンテナ８０２は、一方の第１アンテナ５０２，６０２，７０２の見通し線と、他方の第２アンテナ８０２の見通し線との間に患者がいないように配置される。
【００３７】
すべての場合において保証することが困難である場合、例えば、患者が検査空間１を通じて広い範囲を移動させられる場合、付加的なアンテナ及び／又は複数のアンテナが加えられ得る。このような複数のアンテナは、バンド幅全体を改善するためにも使用され得る。
【００３８】
たいていの場合にこれらの困難さを回避することができる好ましい実施例は、４つの送信機及び／又は受信機ユニット５０１，６０１，７０１及び／又はこれらのアンテナ５０２，６０２，７０２を有する。すなわち１つを患者Ｐの上部に、１つを上部システムボディコイル５に、１つを患者Ｐの下部に、１つを下部システムボディコイル６に有する。更に、又は代わりに、これらのユニット５０１，６０１，７０１及び／又はこれらのアンテナ５０２，６０２，７０２の少なくとも１つが、スキャナ室１のＲＦケージの壁に配置され得る。
【００３９】
更に、付加的に、又は代わりに、１又はそれより多くの送信機及び／又は受信機ユニット５０１，６０１，７０１，８０１及び／又はこれらのアンテナ５０２，６０２，７０２，８０２は、検査空間（スキャナ室）１の開口部、好ましくは反対側の開口部と両方において、又は付近に好ましくは配置される。
【００４０】
通常、一方の各々のＭＲ信号検出装置５，６，７と、他方のＭＲ信号処理装置８との間のデータ通信は、対応する数ｎの独立したデータ通信チャネル（図１によると３チャネル）が備えられなければならないように、互いから独立して並列に実行されなければならない。
【００４１】
上述のように、特に多くの数ｎのこのような通信チャネルの場合、かなりのバンド幅が必要とされ、結果として、関連付けられる高周波数搬送波が、このようなブロードバンド信号の送信に必要である。この場合特に、マルチパスの影響又は周波数選択フェージング及び干渉は、データ通信を中断又は妨害し得る。
【００４２】
これを避けるため、本発明の第１の実施例によると、データ通信は、同時に又は交互に使用される少なくとも２つの搬送波周波数により各々のチャネルにおいて行われ、ＭＲ画像化システムにおける送信機及び／又は受信機ユニット５０１，６０１，７０１（又は関連付けられるアンテナ５０２，６０２，７０２）のユーザ選択位置において、前記周波数の少なくとも１つは、マルチパス、周波数フェージング、及び干渉の影響、又は反射による他の不利な影響が少なくとも実質的にない通信を可能にするように、前記周波数は、例えばＭＲ信号処理装置８で受信される電界強度の大きさ及び／又は変化に依存して手動又は自動で選択及び／又は制御される。
【００４３】
全ての周波数において干渉パターンが異なるので、これらの影響のない連続的な通信の可用性及び信頼性は、このような周波数を適切に選択又は制御することにより著しく改善し得る。
【００４４】
更なるこのような改善は、上述のように好ましくは付加的に選択及び／又は制御される同じ又は異なる周波数において、送信機及び／又は受信機ユニット５０１，６０１，７０１，８０１の少なくとも１つに対して、複数のアンテナ５０２，６０２，７０２，８０２を使用することにより達成され得る。
【００４５】
好ましくは、通信チャネルにおいて送信される検出されたＭＲ信号及び／又は制御信号は、特に直交周波数分割多重化（ＯＦＤＭ）により、４つの異なる搬送波周波数において同時に送信される。
【００４６】
通常、周波数帯及び／又は周波数値は、ＭＲシステム設計フェーズの間、測定されるチャネル特性及び必要とされるバンド幅、又はデータスループットに依存して決定され得る。一方予測されるデータスループットは、チャネル特性及び選択された周波数バンド幅に基づいて計算され得る。
【００４７】
このように、周波数は、全体の構成に対して好ましくはプリセットであり、該周波数は、好ましくは、実際のシステムセットアップにおいて上述のように、受信された信号の強度のような検出された通信状態に依存して、サービスエンジニア、及び／又はＭＲ画像化システムのユーザにより、又は自動的に調整又は最適化され得る。
【００４８】
本発明の第２の実施例によると、従来技術による広帯域信号又はＵＷＢ（超広帯域）技術を使用する拡散スペクトル技術は、少なくとも１つのＭＲ信号検出装置５，６，７とＭＲ信号処理装置８との間の通信チャネルの少なくとも１つに適用され得る。
【００４９】
特にＵＷＢ技術を使用する場合、送信電力は、好ましくはノイズレベルよりも更に高く増加される。更なる電力は、信号‐ノイズ比を改善し、したがってデータレートを増加させ、ビット誤り率を低下させるために使用され得る。通常検査空間（スキャナ室）１を囲むＲＦケージは、検査空間１の外側において、最大電磁放射に関する法的要件が満たされることを保証するであろう。
【００５０】
本発明の第３の例によると、通信チャネルの時分割多重化が、好ましくは分散スペクトル技術に加えて使用され得る。この場合において、どの送信機及び／又は受信機ユニット５０１，６０１，７０１，８０１も特定の割り当てられた時間スロットにおいて自身の拡散スペクトル信号を送信する。このことは、位相不一致の送信による妨害又は信号の衝突を回避又は軽減するため、幾何学的空間において互いに近接したいくつかの送信機及び／又は受信機ユニット５０１，６０１，７０１，８０１及び／又はマルチプルアンテナ５０２，６０２，７０２，８０２が使用される場合、特に有利である。代わりに、サブチャネルの異なるサブセットが、各々の前記ユニット及び／又はアンテナに割り当てられ得る。
【００５１】
図２は、対応するアンテナ５０２，６０２，７０２を含むＭＲコイル５，６，７における上述の第１送信機及び／又は受信機ユニット５０１，６０１，７０１の１つのような第１送信機及び／又は受信機ユニットＴ／Ｒ１と、対応するアンテナ８０２を含むＭＲ信号処理装置８の一部としての、又は該装置における、上述の第２送信機及び／又は受信機ユニット８０１のような第２送信機及び／又は受信機ユニットＴ／Ｒ２とを有する、ＭＲシステムにおけるデータのワイヤレス通信用の構成の好ましい実施例の電子部品の概略的且つ例示的なブロック図を示す。
【００５２】
好ましくは、各々のこのような送信機及び／又は受信機ユニットＴ／Ｒ１は、各々のチャネル、すなわち各々のコイル５，６，７に設けられ、その結果、図１によるシステムにおいて、全部で３（ｎ＝３）のこのような第１送信機及び／又は受信機ユニットＴ／Ｒ１及び１つの第２送信機及び／又は受信機ユニットＴ／Ｒ２は、ワイヤレス通信用の構成において設けられる。
【００５３】
このような第１送信機及び／又は受信機ユニットＴ／Ｒ１は、関連付けられるコイル５，６，７により受信されるＭＲ信号を検出するＭＲ信号検出器１００と、検出されたＭＲ信号を増幅し、約１．５ＭＨｚのバンド幅を有する６５ＭＨｚ又は１２８ＭＨｚの周波数帯の信号を生成する離調手段１０１を有する構成可能な低ノイズ増幅器（ＬＮＡ）と、増幅されたＭＲ受信機信号から例えば１２ＭＢ／ｓのデータレートで、出力信号を生成する、構成可能なデータレート機能を有するＭＲ受信機１０２と、ＭＲ受信機１０２の出力信号が供給され、ＵＷＢ信号を送信し、受信する少なくとも１つのアンテナＡの形態の、又は該アンテナＡを含む、第１物理インタフェース１０４に、例えば４８０ＭＢ／ｓのデータレートで供給されるＵＷＢ信号を生成するＵＷＢ送信機１０３とを有する。
【００５４】
更に、ＵＷＢ受信機１０５は、アンテナＡ及び第１物理インタフェース１０４を介して信号を受信するように設けられ、該信号は、ＵＷＢ送信機１０３を制御又は構成するため、及び／又はＭＲ受信機１０２のデータレートを制御又は構成するため、及び／又は低ノイズ増幅器（ＬＮＡ）及び離調手段１０１を制御又は構成するため、例えばデータ処理装置８により送信される。
【００５５】
好ましくは、ＭＲ信号検出器１００は、ＵＷＢパスのクロックリカバリを介してシステムクロックと同期され得るＡＤコンバータを有する。代わりに、自走クロックが、ＭＲ画像再構成の間、位相差を補償するために使用され得る。これらの位相差は、特別な較正方法又は信号補正により、事前に決定され得る。
【００５６】
第２送信機及び／又は受信機ユニットＴ／Ｒ２は、ＵＷＢ信号を送信及び受信するため、少なくとも１つのアンテナＢの形態の、又は該アンテナＢを含む第２物理インタフェース１０６を有する。
【００５７】
ワイヤレス通信用の構成のチャネルの数ｎにより、対応する数ｎのＵＷＢ受信機１０７が設けられ、該受信機に対して、各々のチャネルにおいて第１送信機及び／又は受信機ユニットＴ／Ｒ１の各々により送信され、第２物理インタフェース１０６により受信されるＵＷＢ信号（ＭＲ信号）が供給される。
【００５８】
受信されたＭＲ信号は、マージャ１０８により既知の態様でマージ及び処理され、ＭＲ画像を生成及び／又は受信されたＭＲ信号を他の既知の態様で処理するため、データ処理又は画像再構成装置１０９に供給される。
【００５９】
更に、選択されたチャネルの第１物理インタフェース１０４に、第２物理インタフェース１０６を介して制御信号を送信するように自身でＵＷＢ送信機１１２を制御及び構成する、スキャン制御手段１１１を制御するユーザインタフェース１１０が設けられる。これにより、ユーザは、上述のように関連付けられたチャネルのコイル５，６のあるコイル素子５１,５２，...５ｎ；６１,６２，...６ｎを例えば選択若しくは制御することができるか、又は選択されたチャネルの第１送信機及び／又は受信機ユニットＴ／Ｒ１の離調手段１０１及び低ノイズ増幅器（ＬＮＡ）及び／又はＵＷＢ送信機１０３及び／又はＭＲ受信機１０２のデータレートを制御又は構成することができる。
【００６０】
本発明による方法及び構成は、ＭＲ画像化システムに適用可能であるだけでなく、少なくとも１つの第１及び少なくとも１つの第２送信機及び／又は受信機ユニットの間の信号又はデータをワイヤレスに送信する場合、例えば特にマルチパス、周波数フェージング、若しくは干渉の影響又は反射的な環境の他の影響を受けやすい他のシステム又は環境においても適用可能である。
【図面の簡単な説明】
【００６１】
【図１】図１は、本発明によるデータのワイヤレス通信の構成の実施例を含む、ＭＲシステムの実質的な部分の概略的なブロック図である。
【図２】図２は、データのワイヤレス通信のためのこのような構成の実質的な電子コンポーネントの概略的なブロック図である。
【図１】
2009520556.tif 000003
【図２】
2009520556.tif 000004
【国際調査報告】
2009520556.tif 000005
2009520556.tif 000006
2009520556.tif 000007
2009520556.tif 000008